(57)【要約】【課題】ネットワークや記録装置側で故障が発生した場合、その旨を保守員に通知することができ、さらに個人情報保護法を遵守することができる監視カメラ装置及び監視カメラシステムを提供する。【解決手段】記録装置本体の故障、記録装置内部の故障又はネットワーク障害が発生した場合に、監視カメラ装置１０側で画像データのバックアップ録画を行うと共に、故障や障害が発生したことを電子メール又は電話によって保守員に通報する。また、バックアップ録画用のバックアップメモリ部１０５が装置本体から取り外された場合に保守員に通報する。また、画像データのバックアップ後、記録装置本体の故障、記録装置内部の故障又はネットワーク障害が発生したときから６ヶ月経過するか、あるいは記録破棄指示があると、バックアップ録画した画像データを削除する。また、画像データをその全体又は部分的に暗号化する。【選択図】図２
2007036369.tif 000002
【特許請求の範囲】
【請求項１】
ネットワークに接続された外部の記録装置と前記ネットワークを含む伝送路経由で通信を行い、撮影した画像を前記記録装置へ送信する通信手段と、
前記記録装置の故障情報又は前記ネットワークの障害情報を収集する故障情報収集手段と、
前記記録装置の故障又は前記ネットワークに障害が発生した場合、装置本体に内蔵したメモリで録画をバックアップするバックアップ手段と、
前記記録装置の故障又は前記ネットワークに障害が発生した場合、前記メモリにバックアップ録画を行ったことと故障や障害が発生したことを所定の通報先に電子メール又は電話で通報する通報手段と、
を備える監視カメラ装置。
【請求項２】
前記メモリの装置本体に対する抜き差しを検出する着脱検出手段を備え、
前記通報手段は、前記着脱検出手段によって前記メモリが装置本体から抜かれたことが検出された場合、その旨を前記通報先に通報する請求項１に記載の監視カメラ装置。
【請求項３】
ネットワークに接続された外部の記録装置と前記ネットワークを含む伝送路経由で通信を行い、撮影した画像を前記記録装置へ送信する通信手段と、
前記記録装置の故障情報及び前記ネットワークの障害情報を収集する故障情報収集手段と、
前記記録装置の故障又は前記ネットワークに障害が発生した場合、装置本体に内蔵したメモリで録画をバックアップするバックアップ手段と、
故障や障害が発生したときから一定時間経過した場合又は何らかのトリガが発生した場合に前記バックアップ手段でバックアップされた画像を削除する削除手段と、
を備える監視カメラ装置。
【請求項４】
ネットワークに接続された外部の記録装置と前記ネットワークを含む伝送路経由で通信を行い、撮影した画像を前記記録装置へ送信する通信手段と、
前記記録装置の故障情報及び前記ネットワークの障害情報を収集する故障情報収集手段と、
前記記録装置の故障又は前記ネットワークに障害が発生した場合、装置本体に内蔵したメモリで録画をバックアップするバックアップ手段と、
バックアップする画像の全体又は指定部分を削除又は暗号化する画像処理手段と、
を備える監視カメラ装置。
【請求項５】
請求項１乃至請求項４のいずれかに記載の監視カメラ装置と、
前記ネットワークを含む伝送路に接続可能な携帯端末と、
前記ネットワークを含む伝送路に接続可能であって、前記監視カメラ装置から送信されてくる画像を記録する記録装置と、
を備える監視カメラシステム。
【発明の詳細な説明】
【技術分野】
【０００１】
本発明は、監視カメラ装置及び該カメラ装置を用いた監視カメラシステムに関する。
【背景技術】
【０００２】
従来、インターネット等のネットワークを利用して、画像データを遠隔地にある記録装置へ送信するネットワークカメラと呼ばれる監視カメラ装置が開発されている（例えば、特許文献１参照）。特許文献１で開示された監視カメラ装置は、ネットワーク障害に対する画像データのバックアップ機能を備えており、ネットワークに障害が発生した場合には、画像データ送信先であるネットワーク上のサーバへ送信すべき画像データをバックアップメモリ部に一時的に記憶し、その後、ネットワークが正常に復帰したときに、バックアップメモリ部に記憶しておいた画像データをネットワーク経由でサーバへ送信する。
【０００３】
【特許文献１】特開２００５−２６８６６号公報
【発明の開示】
【発明が解決しようとする課題】
【０００４】
しかしながら、従来の監視カメラ装置においては、ネットワークや記録装置側で故障が発生した場合に、録画によるバックアップが行われるのみで、保守員へは通知されないことから、ネットワークや記録装置側で故障が発生しても早期に対処することができないという問題がある。また、バックアップメモリ部への記録を行った場合、データ消去操作を行わない限り、記録が残ったままになり、一定期間（例えば６ヶ月）を経過してしまうと個人情報保護法上情報の管理者責任が発生するという問題がある。
【０００５】
本発明は、係る事情に鑑みてなされたものであり、ネットワークや記録装置側で故障が発生した場合にそのことを保守員に通知することができ、さらに個人情報保護法を遵守することができる監視カメラ装置及び監視カメラシステムを提供することを目的とする。
【課題を解決するための手段】
【０００６】
上記目的は下記構成により達成される。
（１）  監視カメラ装置において、ネットワークに接続された外部の記録装置と前記ネットワークを含む伝送路経由で通信を行い、撮影した画像を前記記録装置へ送信する通信手段と、前記記録装置の故障情報又は前記ネットワークの障害情報を収集する故障情報収集手段と、前記記録装置の故障又は前記ネットワークに障害が発生した場合、装置本体に内蔵したメモリで録画をバックアップするバックアップ手段と、前記記録装置の故障又は前記ネットワークに障害が発生した場合、前記メモリにバックアップ録画を行ったことと故障や障害が発生したことを所定の通報先に電子メール又は電話で通報する通報手段と、を備える。
【０００７】
この構成により、記録装置の故障やネットワーク障害が発生した場合、画像データのバックアップ録画を行うと共に、故障や障害が発生したことを電子メール又は電話によって保守員に通報するので、故障や障害に対する早期の復旧が可能となる。
【０００８】
（２）  上記（１）に記載の監視カメラ装置において、前記メモリの装置本体に対する抜き差しを検出する着脱検出手段を備え、前記通報手段は、前記着脱検出手段によって前記メモリが装置本体から抜かれたことが検出された場合、その旨を前記通報先に通報する。
【０００９】
この構成により、バックアップ録画用のメモリが装置本体から取り外された場合に、保守員に通報するので、個人情報の漏洩に迅速に対処することが可能となる。
【００１０】
（３）  監視カメラ装置において、ネットワークに接続された外部の記録装置と前記ネットワークを含む伝送路経由で通信を行い、撮影した画像を前記記録装置へ送信する通信手段と、前記記録装置の故障情報及び前記ネットワークの障害情報を収集する故障情報収集手段と、前記記録装置の故障又は前記ネットワークに障害が発生した場合、装置本体に内蔵したメモリで録画をバックアップするバックアップ手段と、故障や障害が発生したときから一定時間経過した場合又は何らかのトリガが発生した場合に前記バックアップ手段でバックアップされた画像を削除する削除手段と、を備える。
【００１１】
この構成により、画像のバックアップ後、故障や障害が発生したときから一定時間経過するか、あるいは何らかのトリガが発生すると、バックアップ録画した画像を削除するので、個人情報保護法上、情報の管理者責任を守ることができる。
【００１２】
（４）  監視カメラ装置において、ネットワークに接続された外部の記録装置と前記ネットワークを含む伝送路経由で通信を行い、撮影した画像を前記記録装置へ送信する通信手段と、前記記録装置の故障情報及び前記ネットワークの障害情報を収集する故障情報収集手段と、前記記録装置の故障又は前記ネットワークに障害が発生した場合、装置本体に内蔵したメモリで録画をバックアップするバックアップ手段と、バックアップする画像の全体又は指定部分を削除又は暗号化する画像処理手段と、を備える。
【００１３】
この構成により、画像データの全体又は部分的に削除又は暗号化するので、バックアップ録画した場合でも個人情報の保護が図れる。
【００１４】
（５）  上記（１）乃至（４）のいずれかに記載の監視カメラ装置と、前記ネットワークを含む伝送路に接続可能な携帯端末と、前記ネットワークを含む伝送路に接続可能であって、前記監視カメラ装置から送信されてくる画像を記録する記録装置と、を備える。
【００１５】
この構成により、記録装置の故障やネットワーク障害が発生した場合に、そのことを保守員に通知することができ、さらに個人情報保護法を遵守することができる。
【発明の効果】
【００１６】
本願発明の監視カメラ装置は、記録装置の故障やネットワーク障害が発生した場合、画像データのバックアップ録画を行うと共に、故障や障害が発生したことを電子メール又は電話によって保守員に通報するので、故障や障害に対する早期の復旧が可能となる。
【００１７】
本願発明の監視カメラ装置では、画像のバックアップ後、故障や障害が発生したときから一定時間経過するか、あるいは何らかのトリガが発生すると、バックアップ録画した画像を削除するので、個人情報保護法上、情報の管理者責任を守ることができる。
【００１８】
本願発明の監視カメラ装置では、画像データの全体又は部分的に削除又は暗号化するので、バックアップ録画した場合でも個人情報の保護が図れる。
【００１９】
本願発明の監視カメラシステムでは、記録装置の故障やネットワーク障害が発生した場合に、そのことを保守員に通知することができ、さらに個人情報保護法上、情報の管理者責任を守ることができる監視カメラシステムを提供することが可能となる。
【発明を実施するための最良の形態】
【００２０】
以下、本発明を実施するための好適な実施の形態について、図面を参照して詳細に説明する。
【００２１】
図１は、本発明の一実施の形態に係る監視カメラシステムの概略構成を示すブロック図である。この図において、本実施の形態の監視カメラシステムは、監視カメラ装置１０と、記録装置２０と、携帯電話（携帯端末）３０とを備えて構成される。監視カメラ装置１０及び記録装置２０は、それぞれインターネット等のネットワーク４０に接続できる機能を有している。携帯電話３０は、携帯電話網５０を介してインターネット４０に接続できる機能を有する。
【００２２】
監視カメラ装置１０は、撮影して得られた画像データをインターネット４０を含む伝送路経由で記録装置２０へ送信する。また、監視カメラ装置１０は、記録装置２０本体の故障情報や記録装置２０内部の故障情報の他、ネットワークの障害情報を収集し、これらの故障や障害を検出したときに画像データのバックアップを行い、さらに故障又は障害が発生したことをインターネット４０と携帯電話網５０経由で保守員の所持する携帯電話３０に通報する。この通報においては、電子メールで行うか、あるいは直接電話をかけるかする。本実施の形態では、電子メールで行うようにしている。記録装置２０は、Ｗｅｂサーバ機能を有し、監視カメラ装置１０から送信されてきた画像データを記録する。以下、監視カメラ装置１０及び記録装置２０を詳細に説明する。
【００２３】
〔監視カメラ装置１０〕
図２は、監視カメラ装置１０の概略構成を示すブロック図である。この図において、監視カメラ装置１０は、撮像部１０１、信号処理部１０２、動き検出処理部１０３、暗号処理部１０４、バックアップメモリ部１０５、カメラ制御部１０６、時刻管理部１０７、記録媒体抜き差し検出部１０８、通信インタフェース１０９、バス１１０を備えて構成される。撮像部１０１は、ＣＣＤ（Charge Coupled Device）イメージセンサやＣＭＯＳ（Complementary Metal Oxide Semiconductor）イメージセンサなどの固体撮像素子を備え、被写体を撮影してアナログの映像信号を生成し出力する。信号処理部１０２は、図示せぬＡ／Ｄ変換器を備え、撮像部１０１から出力されるアナログの映像信号をディジタルの映像信号に変換し、１フレーム毎に出力する。
【００２４】
動き検出処理部１０３は、被写体の動きを検出するものであり、信号処理部１０２から所定の時間間隔で１フレームのディジタル映像信号が出力される毎に時間的に前後する２つのフレームを比較し、その信号の差分で被写体の動きの有無を検出する。そして、動きを検出した場合は、動き情報が含まれたディジタル映像信号を暗号化処理部１０４に入力し、動きを検出しなかった場合は、動き情報の無いディジタル映像信号をバックアップメモリ部１０５に入力する。暗号化処理部１０４は、動き検出処理部１０３から入力されたディジタル映像信号をＪＰＥＧ（Joint Photographic Experts Group）、ＭＰＥＧ４（Moving Picture Experts Group phase 4）等の周知の映像圧縮技術により圧縮する。そして、圧縮したディジタル映像信号をバックアップメモリ部１０５に入力する。ディジタル映像信号の圧縮は、画像全体又は指定部分（例えば動きのある領域）の画像が暗号化される。また、暗号化処理を行うことによる時間的な遅延は、バックアップメモリ部１０５からの読み出しで調整される。
【００２５】
バックアップメモリ部１０５は、記録装置２０本体の故障、記録装置２０内部の故障、ネットワーク障害が発生したときの画像データの保存に用いられる。この際、復旧後、正常に送信された場合は送信完了時に消去されるが、故障や障害が発生して正常に送信されなかった場合は消去されることなく保存される。バックアップメモリ部１０５は装置本体に対して着脱自在となっており、その抜き差しが記録媒体抜き差し検出部１０８にて検出される。なお、バックアップメモリ部１０５には、フラッシュメモリ等の不揮発性メモリ（例えばカード状記録媒体）が用いられる。
【００２６】
カメラ制御部１０６は、装置各部を統括制御するものであり、図示せぬＣＰＵ（中央処理装置）、ＣＰＵを動作させるための制御プログラムを格納したプログラムメモリ、ＣＰＵの動作において使用されるワークメモリを備えている。カメラ制御部１０６は、画像データを記録装置２０に送信する際に、通信インタフェース部１０９経由で行う。また、カメラ制御部１０６は、画像データをバックアップメモリ部１０５に記録した際に、その旨を時刻管理部１０７に通知し、さらに予め記憶している保守員の携帯電話３０のメールアドレスを使用して、記録装置２０本体の故障、記録装置２０内部の故障又はネットワーク障害が発生したことを通知する。
【００２７】
また、カメラ制御部１０６は、時刻管理部１０７から、バックアップ録画された画像データを消去する通知を受けると、バックアップメモリ部１０５に記録された該当する画像データを消去する。後述するように、時刻管理部１０７は、バックアップ録画した画像データが６ヶ月を超えて保存されないように管理しており、６ヶ月を超えるような画像データがあれば、それを消去するためにカメラ制御部１０６に通知する。近年施行された個人情報保護法では、その第四条（保有個人データから除外されるものの消去までの期間）に、「法第二条第五項の政令で定める期間は、六ヶ月とする」と規定している。なお、バックアップ録画された画像データの消去は、個人情報保護法に基づく期間以外に、ユーザからの記録破棄指示（何らかのトリガが発生した場合）が入力された場合でも行われる。
【００２８】
また、カメラ制御部１０６は、バックアップメモリ部１０５が装置本体から抜かれた場合に、その旨を保守員の携帯電話３０のメールアドレスを使用して保守員に通知する。
【００２９】
時刻管理部１０７は、バックアップメモリ部１０５にバックアップ録画された画像データの保存時間を管理し、６ヶ月を超える画像データがあれば、それをカメラ制御部１０６に通知する。ここで、６ヶ月間とは、上述した個人情報保護法で規定された期間である。記録媒体抜き差し検出部１０８は、上述したようにバックアップメモリ部１０５の装置本体に対する抜き差しを検出し、その結果をカメラ制御部１０６に入力する。通信インタフェース部１０９は、監視カメラ装置１０をインターネット４０に接続するものである。カメラ制御部１０６は、この通信インタフェース部１０９と通信プロトコル（ＴＣＰ／ＩＰ）を用いてインターネット４０に接続された記録装置２０と通信を行う。この場合、記録装置２０との間のデータの送受信においては、本実施の形態では、ＨＴＴＰ（Hyper Text Transfer Protocol）が使用される。バス１１０は、装置各部を接続するためのデータバス、アドレスバス等からなるものである。
【００３０】
なお、カメラ制御部１０６及び通信インタフェース部１０９は、通信手段を構成する。また、カメラ制御部１０６は、故障情報収集手段、通報手段及び削除手段それぞれに対応する。また、カメラ制御部１０６及びバックアップメモリ部１０５は、バックアップ手段を構成する。また、記録媒体抜き差し検出部１０８は、着脱検出手段に対応する。また、暗号化処理部１０４は、画像処理手段に対応する。
【００３１】
〔記録装置２０〕
図３は、記録装置２０の概略構成を示すブロック図である。この図において、記録装置２０は、カメラ時刻管理部２０１、記録媒体（ＨＤＤ）２０２、状態監視部２０３、システム制御部２０４、通信インタフェース部２０５を備えて構成される。カメラ時刻管理部２０１は、監視カメラ装置１０側でバックアップ録画された画像データの個人情報保護法による保護期間を管理するものである。記録媒体２０２は、例えばハードディスクドライブ装置のような大量のデータを扱うことができるものであり、監視カメラ装置１０から送信されてきた画像データを記録する。状態監視部２０３は、記録媒体２０２における画像データの記録状態を監視する。
【００３２】
システム制御部２０４は、装置各部を統括制御するものであり、図示せぬＣＰＵ（中央処理装置）、ＣＰＵを動作させるための制御プログラムを格納したプログラムメモリ、ＣＰＵの動作において使用されるワークメモリを備えている。システム制御部２０４は、通信インタフェース部２０５と通信プロトコル（ＴＣＰ／ＩＰ）を用いてインターネット４０に接続された監視カメラ装置１０と通信を行い、監視カメラ装置１０から送信されてくる画像データを記録媒体２０２に格納する。バス２０６は、装置各部を接続するためのデータバス、アドレスバス等からなるものである。
【００３３】
次に、上記構成の監視カメラシステムの動作について説明する。図４は、監視カメラ装置１０における制御の概要を示すブロック図であり、図５は、監視カメラ装置１０における画像記録処理及びＨＴＴＰ通信処理を示すフロー図である。また、図６は監視カメラ装置１０における記録破棄処理を示すフロー図、図７は監視カメラ装置１０と記録装置２０夫々における記録廃棄処理とその関係を示すフロー図、図８は監視カメラ装置１０おける暗号処理を示すフロー図、図９は監視カメラ装置１０における記録媒体抜き差し判定処理を示すフロー図である。なお、図４と図５において、１対１に対応している処理に同じ符号を付けている（例えば、図４のＡ１１と図５のＡ１１）。また、図４において、撮像部１０１と信号処理部１０２によって画像データが生成される。また、バックアップメモリ部１０５が画像データをバックアップする。また、カメラ制御部１０６と通信インタフェース部１０９がＨＴＴＰ通信と障害検出を行う。
【００３４】
〔画像記録処理及びＨＴＴＰ通信処理〕
図５の画像記録処理において、画像データを所定の時間間隔でバックアップメモリ部１０５に記録する（ステップＳＴ１０、Ａ１１）。次いで、ＨＴＴＰ通信処理側に「画像読み出し可能」を通知する（ステップＳＴ１１、Ａ１２）。ＨＴＴＰ通信処理側に「画像読み出し可能」を通知した後、ＨＴＴＰ通信処理側から通知があったかどうか判定し（ステップＳＴ１２、Ａ１３）、“ＮＧ”の通知であれば、ステップＳＴ１０に戻る。一方、ＨＴＴＰ通信処理側からの通知が“ＯＫ”の場合は、携帯電話３０に電子メールを送信して、保守員に記録装置２０本体の故障、記録装置２０内部の故障又はネットワーク障害が発生したことを知らせ（ステップＳＴ１３）、バックアップメモリ部１０５に記録された画像データを消去し（ステップＳＴ１４、Ａ１４）、ステップＳＴ１０に戻る。
【００３５】
次に、図５のＨＴＴＰ通信処理において、画像送信要求（ＨＴＴＰリクエスト）を待ち受けする（ステップＳＴ２０、Ａ２１）。そして、画像送信要求（ＨＴＴＰリクエスト）を受信すると（ステップＳＴ２１、Ａ２２）、バックアップメモリ部１０５から画像データを読み出し（ステップＳＴ２２、Ａ２３）、記録装置２０に送信する（ステップＳＴ２３、Ａ２４）。記録装置２０へ画像データの送信を行った後、その送信が正常に完了したかどうかを判定する（ステップＳＴ２４、Ａ２５）。この場合、監視カメラ装置１０と記録装置２０はデータの送受信において互い通信を行っており、監視カメラ装置１０は、画像データの送信を行った後、記録装置２０から画像データを受け取った旨の通知が所定時間内に来ない場合には、送信が正常に行われなかったと判断する。送信が正常に行われなかった場合は、画像記録処理側へ“ＮＧ”を通知する（ステップＳＴ２６、Ａ２８）。これに対して、画像データの記録装置２０への送信が正常に完了した場合は、記録装置２０に異常はないかどうか判定する（ステップＳＴ２５、Ａ２６）。記録装置２０に異常があった場合は、ステップＳＴ２６に進み、画像記録処理側へ“ＮＧ”を通知する。これに対して、記録装置２０に異常がなかった場合は、画像記録処理側へ“ＯＫ”をＳＮＭＰポーリングとトラップ，クエリ等により通知する（ステップＳＴ２７、Ａ２７）。
【００３６】
〔記録破棄処理〕
本処理は、監視カメラ装置１０において行われる処理であり、バックアップ録画した画像データで一定時間経過したものを削除する。図６において、記録画像のバックアップメモリ部１０５に記録された時間を確認し（ステップＳＴ３０）、一定時間（例えば６ヶ月）を経過しているかどうか判定する（ステップＳＴ３１）。一定時間を経過していない場合はステップＳＴ３０に戻り、上記同様の処理を行い、一定時間を経過した場合は、バックアップメモリ部１０５に記録されている該当画像データを消去する（ステップＳＴ３２）。該当画像データを消去した後、ステップＳＴ３０に戻る。
【００３７】
〔記録破棄処理〕
本処理は、記録破棄指示（何らかのトリガに対応）があると、バックアップ録画した画像データを削除する処理であり、監視カメラ装置１０と記録装置２０との間で行われる。図７において、監視カメラ装置１０側では、まず記録装置２０との間で記録情報破棄通信の有無確認を行う（ステップＳＴ４０）。この確認を行った結果、記録破棄指示があるかどうか判定し（ステップＳＴ４１）、記録破棄指示がなければ、そのままステップＳＴ４０に戻り、記録破棄指示があれば、バックアップメモリ部１０５に記録されている該当画像データを消去する（ステップＳＴ４２）。該当画像データの消去を行った後、ステップＳＴ４０に戻る。
【００３８】
記録装置２０側では、監視カメラ装置１０の記録時間計測処理を行う。即ち、監視カメラ装置１０のバックアップメモリ部１０５に記録されている画像データの記録時間つまりバックアップメモリ部１０５に記録され始めてから現在に至るまでの経過時間を計測する（ステップＳＴ５０）。そして、計測した時間が一定時間を経過しているかどうか判定し（ステップＳＴ５１）、一定時間を経過していなければステップＳＴ５０に戻り、記録時間計測処理を継続する。これに対して、一定時間を経過していれば、バックアップメモリ部１０５に記録された該当画像データを消去する指示を監視カメラ装置１０に送信する（ステップＳＴ５２）。
【００３９】
〔暗号処理〕
本処理は、監視カメラ装置１０において行われる処理であり、画像の動き部分を暗号化する。図８において、まず画像データを所定の時間間隔で取り込み（ステップＳＴ６０）、時間的に前後する２つのフレームのディジタル映像信号から動き検出を行う（ステップＳＴ６１）。そして、動きのある部分の有無を判定し（ステップＳＴ６２）、動きのある部分が無い場合はステップＳＴ６０に戻り、動きのある部分が有る場合はその動きのある部分を暗号化する（ステップＳＴ６３）。動きのある部分の暗号化を行った後、ステップＳＴ６０に戻る。
【００４０】
〔記録媒体抜き差し判定処理〕
本処理は、監視カメラ装置１０において行われる処理であり、記録媒体であるバックアップメモリ部１０５の抜き差しを判定する。図９において、まず記録媒体挿入を検出する（ステップＳＴ７０）。記録媒体の挿入を検出すると、その記録媒体に対する画像データの記録を開始する（ステップＳＴ７１）。記録媒体への画像データの記録を開始すると、記録媒体が装置本体から抜かれたかどうかを判定する（ステップＳＴ７２）。記録媒体が装置本体から抜かれていない場合はステップＳＴ７０に戻り、抜かれた場合は記録媒体抜き通信処理を行う（ステップＳＴ７３）。即ち、記録媒体が装置本体から抜かれた場合に、その旨を保守員の携帯電話３０のメールアドレスを使用して保守員に通知する。記録媒体が抜かれたことを保守員に通知する処理を行った後、ステップＳＴ７０に戻る。
【００４１】
このように、本実施の形態の監視カメラシステムでは、記録装置２０本体の故障、記録装置２０内部の故障又はネットワーク障害が発生した場合に、監視カメラ装置１０側で画像データのバックアップ録画を行うと共に、故障や障害が発生したことを電子メール又は電話によって保守員に通報するので、記録装置２０本体の故障、記録装置２０内部の故障又はネットワーク障害に対する早期の復旧が可能となる。
【００４２】
また、バックアップ録画用のバックアップメモリ部１０５が装置本体から取り外された場合に保守員に通報するので、個人情報の漏洩に迅速に対処することが可能となる。また、画像データのバックアップ後、記録装置２０本体の故障、記録装置２０内部の故障又はネットワーク障害が発生したときから６ヶ月経過するか、あるいは記録破棄指示（何らかのトリガに対応）があると、バックアップ録画した画像データを削除するので、個人情報保護法の遵守が可能となる。
【００４３】
また、画像データをその全体又は部分的に暗号化するので、バックアップ録画した場合でも個人情報の保護が図れる。
【００４４】
なお、上記実施の形態では、電子メールで通報を行うようにしたが、通常の公衆電話回線網を用いて電話にて通報を行うようにしても構わない。また、上記実施の形態では、ネットワークとしてインターネットを利用したが、インターネットに限定されるものではなく、例えばイントラネットであっても構わない。
【産業上の利用可能性】
【００４５】
本発明は、ネットワークや記録装置側で故障が発生した場合に保守員に通知することができ、さらに個人情報保護法を遵守することができるといった効果を有し、防犯用の監視カメラシステムなどへの適用が可能である。
【図面の簡単な説明】
【００４６】
【図１】本発明の一実施の形態に係る監視カメラシステムの概略構成を示すブロック図
【図２】本発明の上記実施の形態に係る監視カメラシステムの監視カメラ装置の概略構成を示すブロック図
【図３】本発明の上記実施の形態に係る監視カメラシステムの記録装置の概略構成を示すブロック図
【図４】本発明の上記実施の形態に係る監視カメラシステムの監視カメラ装置における制御の概要を示すブロック図
【図５】本発明の上記実施の形態に係る監視カメラシステムの監視カメラ装置における画像記録処理及びＨＴＴＰ送信処理を示すフロー図
【図６】本発明の上記実施の形態に係る監視カメラシステムの監視カメラ装置における記録破棄処理を示すフロー図
【図７】本発明の上記実施の形態に係る監視カメラシステムの監視カメラ装置と記録装置夫々における記録廃棄処理とその関係を示すフロー図
【図８】本発明の上記実施の形態に係る監視カメラシステムの監視カメラ装置における暗号処理を示すフロー図
【図９】本発明の上記実施の形態に係る監視カメラシステムの監視カメラ装置における記録媒体抜き差し判定処理を示すフロー図
【符号の説明】
【００４７】
１０  監視カメラ装置
２０  記録装置
３０  携帯電話
４０  インターネット
５０  携帯電話網
１０１  撮像部
１０２  信号処理部
１０３  動き検出処理部
１０４  暗号処理部
１０５  バックアップメモリ部
１０６  カメラ制御部
１０７  時刻管理部
１０８  記録媒体抜き差し検出部
１０９、２０５  通信インタフェース部
１１０、２０６  バス
２０１  カメラ時刻管理部
２０２  記録媒体
２０３  状態監視部
２０４  システム制御部
【図１】
2007036369.tif 000003
【図２】
2007036369.tif 000004
【図３】
2007036369.tif 000005
【図４】
2007036369.tif 000006
【図５】
2007036369.tif 000007
【図６】
2007036369.tif 000008
【図７】
2007036369.tif 000009
【図８】
2007036369.tif 000010
【図９】
2007036369.tif 000011